(57)【要約】【課題】ソーシャルネットワーキングサービスにおいて、ユーザの積極的な意思に依らず、当該ユーザをグループに加入させることを可能にする技術を提供する。【解決手段】本発明の一側面に係る情報処理システムは、ソーシャルネットワーキングサービスをユーザに提供する情報処理システムであって、所定の情報を示す印を含む画像を前記ユーザから取得する画像取得部と、取得した前記画像から前記印を抽出する印抽出部と、前記ソーシャルネットワーキングサービス内で作成されたグループであって、前記画像から抽出した前記印により示される所定の情報に対応するグループ、に前記ユーザを登録するユーザ登録部と、を備える。【選択図】図１３
2014109838.tif 000002
【特許請求の範囲】
【請求項１】
ソーシャルネットワーキングサービスをユーザに提供する情報処理システムであって、
所定の情報を示す印を含む画像を前記ユーザから取得する画像取得部と、
取得した前記画像から前記印を抽出する印抽出部と、
前記ソーシャルネットワーキングサービス内で作成されたグループであって、前記画像から抽出した前記印により示される所定の情報に対応するグループ、に前記ユーザを登録するユーザ登録部と、
を備える情報処理システム。
【請求項２】
前記所定の情報を示す印は、カメラに装着された接写レンズを被写体に当接又は近接して撮影する時に、前記被写体に当接又は近接する位置に存在し、
前記画像取得部は、前記カメラの撮影範囲に前記印が含まれることで、前記被写体と共に前記印が撮影された画像を取得する、
請求項１に記載の情報処理システム。
【請求項３】
前記印により示される所定の情報は、前記ソーシャルネットワーキングサービス内のグループを作成する管理者に関する情報であり、
前記ユーザ登録部は、前記画像から抽出した前記印が示す前記管理者により作成された１又は複数のグループのうち少なくとも１つのグループに前記ユーザを登録する、
請求項１又は２に記載の情報処理システム。
【請求項４】
前記印により示される所定の情報は、前記ソーシャルネットワーキングサービス内のグループを作成する管理者に関する情報であり、
前記ユーザ登録部は、前記画像から抽出した前記印が示す前記管理者により作成された１又は複数のグループのうち前記被写体に基づいて決定されるグループに前記ユーザを登録する、
請求項２に記載の情報処理システム。
【請求項５】
前記ユーザ登録部は、前記画像から抽出した前記印により示される所定の情報に対応する前記グループから前記ユーザが過去に退会していた場合、前記グループへの前記ユーザの登録を省略する、
請求項１から４のいずれか１項に記載の情報処理システム。
【請求項６】
前記ユーザ登録部は、前記画像から抽出した前記印により示される所定の情報に対応する前記グループに前記ユーザを登録する際に、前記グループに登録するか否かの選択を前記ユーザに行わせる、
請求項１から５のいずれか１項に記載の情報処理システム。
【請求項７】
ソーシャルネットワーキングサービスをユーザに提供する情報処理システムが、
所定の情報を示す印を含む画像を前記ユーザから取得するステップと、
取得した前記画像から前記印を抽出するステップと、
前記ソーシャルネットワーキングサービス内で作成されたグループであって、前記画像から抽出した前記印により示される所定の情報に対応するグループ、に前記ユーザを登録するステップと、
を実行する情報処理方法。
【請求項８】
ソーシャルネットワーキングサービスをユーザに提供する情報処理システムに、
所定の情報を示す印を含む画像を前記ユーザから取得するステップと、
取得した前記画像から前記印を抽出するステップと、
前記ソーシャルネットワーキングサービス内で作成されたグループであって、前記画像から抽出した前記印により示される所定の情報に対応するグループ、に前記ユーザを登録するステップと、
を実行させるためのプログラム。
【発明の詳細な説明】
【技術分野】
【０００１】
本発明は、情報処理システム、情報処理方法、及び、プログラムの技術に関する。
【背景技術】
【０００２】
特定のユーザが参加するネットワーク上のコミュニティサービスを運営するサーバが、コミュニティのカテゴリ、コミュニティを紹介する紹介文、及びユーザのプロフィール情報のうちの少なくとも一つに基づいて広告を選択する技術がある（特許文献１）。
【０００３】
また、キャンペーンに関連したコンテンツに対するユーザのアクティビティの情報をフィードとして配信する際に、ユーザ相互の関係性、キャンペーン運営者及び／又はサービス運営者の定義、表示エリアのスペック、閲覧端末の種類の各要素に基づいて表示対象とするフィードを選別する技術がある（特許文献２）。
【先行技術文献】
【特許文献】
【０００４】
【特許文献１】特開２００８−２１０３０４号公報
【特許文献２】特開２０１１−２４３１４３号公報
【発明の概要】
【発明が解決しようとする課題】
【０００５】
近年、ソーシャルネットワーキングサービス（以下、「ＳＮＳ」とも記載する）と呼ばれる、人と人との間のコミュニケーションを円滑にする手段と新たな人間関係を構築するための場とを提供する、インターネット上の会員制サービスを利用するユーザが増加している。ＳＮＳでは、特定の趣味又は目的を持った人を集めるため、サークル、コミュニティ等と呼ばれるグループが利用される。
【０００６】
従来、ユーザは、自らの興味又は目的に関係するグループを検索することで、加入するサークルを見つけ出していた。すなわち、グループへの加入はユーザの積極的な意思に依存しており、例えば、グループを作成した管理者（オーナー）が、特定の興味又は目的を持つユーザを、自身が作成したグループに引き入れることは、基本的には、できなかった。
【０００７】
本発明は、一側面では、このような問題点を考慮してなされたものであり、ソーシャルネットワーキングサービスにおいて、ユーザの積極的な意思に依らず、当該ユーザをグループに加入させることを可能にする技術を提供することを目的とする。
【課題を解決するための手段】
【０００８】
本発明の一側面に係る情報処理システムは、ソーシャルネットワーキングサービスをユーザに提供する情報処理システムであって、所定の情報を示す印を含む画像を前記ユーザから取得する画像取得部と、取得した前記画像から前記印を抽出する印抽出部と、前記ソーシャルネットワーキングサービス内で作成されたグループであって、前記画像から抽出した前記印により示される所定の情報に対応するグループ、に前記ユーザを登録するユーザ登録部と、を備える。
【０００９】
上記構成によれば、ソーシャルネットワーキングサービスをユーザに提供する情報処理システムは、所定の情報を示す印を含む画像を前記ユーザから取得する。そして、情報処理システムは、当該ソーシャルネットワーキングサービス内で作成されたグループであっ
て、取得した前記画像から抽出される印により示される所定の情報に対応するグループ、に前記ユーザを登録する。
【００１０】
従って、上記構成によれば、加入するグループをユーザは検索しなくてもよくなるため、ソーシャルネットワーキングサービスにおいて、ユーザの積極的な意思に依らず、当該ユーザをグループに加入させることが可能となる。
【００１１】
また、上記一側面に係る情報処理システムの別の形態として、前記所定の情報を示す印は、カメラに装着された接写レンズを被写体に当接又は近接して撮影する時に、前記被写体に当接又は近接する位置に存在し、前記画像取得部は、前記カメラの撮影範囲に前記印が含まれることで、前記被写体と共に前記印が撮影された画像を取得してもよい。
【００１２】
また、上記一側面に係る情報処理システムの別の形態として、前記印により示される所定の情報は、前記ソーシャルネットワーキングサービス内のグループを作成する管理者に関する情報であり、前記ユーザ登録部は、前記画像から抽出した前記印が示す前記管理者により作成された１又は複数のグループのうち少なくとも１つのグループに前記ユーザを登録してもよい。
【００１３】
また、上記一側面に係る情報処理システムの別の形態として、前記印により示される所定の情報は、前記ソーシャルネットワーキングサービス内のグループを作成する管理者に関する情報であり、前記ユーザ登録部は、前記画像から抽出した前記印が示す前記管理者により作成された１又は複数のグループのうち前記被写体に基づいて決定されるグループに前記ユーザを登録してもよい。
【００１４】
また、上記一側面に係る情報処理システムの別の形態として、前記ユーザ登録部は、前記画像から抽出した前記印により示される所定の情報に対応する前記グループから前記ユーザが過去に退会していた場合、前記グループへの前記ユーザの登録を省略してもよい。
【００１５】
また、上記一側面に係る情報処理システムの別の形態として、前記ユーザ登録部は、前記画像から抽出した前記印により示される所定の情報に対応する前記グループに前記ユーザを登録する際に、前記グループに登録するか否かの選択を前記ユーザに行わせてもよい。
【００１６】
なお、上記一側面に係る情報処理システムの別態様としては、以上の各構成を実現する情報処理装置であってもよいし、情報処理方法であってもよいし、プログラムであってもよいし、このようなプログラムを記録したコンピュータその他装置、機械等が読み取り可能な記憶媒体であってもよい。ここで、コンピュータ等が読み取り可能な記録媒体とは、プログラム等の情報を、電気的、磁気的、光学的、機械的、又は、化学的作用によって蓄積する媒体である。
【発明の効果】
【００１７】
本発明によれば、ソーシャルネットワーキングサービスにおいて、ユーザの積極的な意思に依らず、当該ユーザをグループに加入させることが可能となる。
【図面の簡単な説明】
【００１８】
【図１】図１は、実施の形態に係るパネルが装着された接写レンズの一例を示す斜視図である。
【図２】図２は、実施の形態に係るパネルが装着された接写レンズの一例を示す分解斜視図である。
【図３】図３は、実施の形態に係るパネルが装着された接写レンズの一例を示す正面図である。
【図４】図４は、実施の形態に係るパネルが装着された接写レンズの一例を示す、図３のＡ−Ａ線に沿う断面図である。
【図５】図５は、実施の形態に係るパネルが装着された接写レンズの使用例を示す。
【図６Ａ】図６Ａは、実施の形態に係るパネルの一例を示す。
【図６Ｂ】図６Ｂは、実施の形態に係るパネルの変形例を示す。
【図６Ｃ】図６Ｃは、実施の形態に係るパネルの変形例を示す。
【図６Ｄ】図６Ｄは、実施の形態に係るパネルの変形例を示す。
【図６Ｅ】図６Ｅは、実施の形態に係るパネルの変形例を示す。
【図６Ｆ】図６Ｆは、実施の形態に係るパネルの変形例を示す。
【図６Ｇ】図６Ｇは、実施の形態に係るパネルの変形例を示す。
【図６Ｈ】図６Ｈは、実施の形態に係るパネルの変形例を示す。
【図７】図７は、実施の形態に係る情報処理システムのハードウェア構成の一例を示す。
【図８】図８は、実施の形態に係る情報処理システムのハードウェア構成の変形例を示す。
【図９】図９は、実施の形態に係る情報処理システムの機能構成の一例を示す。
【図１０】図１０は、実施の形態に係るユーザ情報の一例を示す。
【図１１】図１１は、実施の形態に係るサークル登録情報の一例を示す。
【図１２】図１２は、実施の形態に係るサークル情報の一例を示す。
【図１３】図１３は、実施の形態に係る情報処理システムによる情報処理の処理手順の一例を示す。
【図１４】図１４は、実施の形態に係る情報処理システムにおいて取得される画像の一例を示す。
【図１５】図１５は、実施の形態に係るユーザ端末に表示される画面の一例を示す。
【図１６】図１６は、実施の形態に係るユーザ端末に表示される画面の一例を示す。
【発明を実施するための形態】
【００１９】
以下、本発明の一側面に係る実施の形態（以下、「本実施形態」とも表記する）を、図面に基づいて説明する。ただし、以下で説明する本実施形態は、あらゆる点において本発明の例示に過ぎず、その範囲を限定しようとするものではない。本発明の範囲を逸脱することなく種々の改良や変形を行うことができることは言うまでもない。つまり、本発明の実施にあたって、各実施の形態に応じた具体的構成が適宜採用されてもよい。
【００２０】
なお、本実施形態において登場するデータを自然言語により説明しているが、より具体的には、コンピュータが認識可能な疑似言語、コマンド、パラメタ、マシン語等で指定される。
【００２１】
本実施形態に係る情報処理システムは、ＳＮＳの一例として、コスメ商品に関するＳＮＳを提供する。本実施形態において、ユーザは、携帯電話端末、携帯可能なビデオゲーム機、ＰＣ（Personal Computer）等に接続又は実装されているカメラで自身の肌を撮影し
、撮影した肌の画像をＳＮＳ上に投稿する。
【００２２】
ここで、ユーザは、自身の肌を拡大撮影するために、接写レンズを利用する。ユーザは、接写レンズをカメラに装着し、接写レンズを被写体（肌）に当接又は近接させて撮影する。本実施形態に係る接写レンズの上端部にはパネルが装着されている。そのため、接写レンズを被写体（肌）に当接又は近接させて撮影する時には、接写レンズの上端部に装着されているパネルも被写体（肌）に当接又は近接する位置に存在することになる。
【００２３】
そして、当該パネルには、カメラの撮影範囲内に、所定の情報を示す印が付されている
。そのため、当該接写レンズを利用してユーザが自身の肌を撮影すると、撮影された画像には、所定の情報を示す印が含まれることになる。本実施形態に係る情報処理システムは、このような印を含む画像が投稿された際に、投稿された画像から印を抽出し、抽出した印により示される所定の情報に対応するグループに当該画像を投稿したユーザを登録する。
【００２４】
これにより、本実施形態に係る情報処理システムは、ＳＮＳにおいて、ユーザの積極的な意思に依らず、当該ユーザをグループに加入させることを可能にする。なお、本実施形態では、ＳＮＳ内において、特定の趣味又は目的を持ったユーザを集めることを主な目的として作成されたグループを「サークル」と称する。
【００２５】
§１  接写レンズ
図１は、本実施形態に係るパネル４０が装着された接写レンズ５０の一例を示す斜視図である。図２は、本実施形態に係るパネル４０が装着された接写レンズ５０の一例を示す分解斜視図である。図３は、本実施形態に係るパネル４０が装着された接写レンズ５０の一例を示す正面図である。図４は、本実施形態に係るパネル４０が装着された接写レンズ５０の一例を示す、図３のＡ−Ａ線に沿う断面図である。そして、図５は、本実施形態に係るパネル４０が装着された接写レンズ５０の使用例を示す。
【００２６】
［接写レンズ］
主に、図４を用いて、本実施形態に係る接写レンズ５０を説明する。本実施形態に係る接写レンズ５０は、被写体（肌）を拡大撮影するために用いられる。図４に示されるとおり、本実施形態に係る接写レンズ５０は、この拡大撮影の機能を実現するレンズ部５４と、当該レンズ部５４を囲う外郭部とを有する。
【００２７】
外郭部は、接写レンズ５０をカメラに装着する際に当該カメラに向けられる底面部５１と、接写レンズ５０をカメラに装着するために用いられるレンズ固定クリップが取り付けられる溝部５２と、撮影する際に被写体に当接又は近接する上端部５３と、を有する。
【００２８】
底面部５１は、図５に示されるとおり、接写レンズ５０をカメラに装着する際に当該カメラに接触する部分である。そのため、底面部５１には、接写レンズ５０をカメラに装着するための、乖離又は再付着可能な粘着剤が塗布又は貼付されていてもよい。
【００２９】
溝部５２は、図３及び４に示されるとおり、底面部５１の上方、レンズ部５４の周囲に設けられる。溝部５２は、接写レンズ５０をカメラに装着するためのレンズ固定クリップが取り付けられる部分である。当該溝部５２により形成される溝をレンズ固定クリップで挟むことで、当該レンズ固定クリップは接写レンズ５０に取り付けられる。
【００３０】
上端部５３は、接写レンズ５０がカメラに装着された状態で被写体（肌）を撮影する際に、当該被写体に当接又は近接する部分である。ユーザは、接写レンズ５０のピントを被写体（肌）に合わせるために、接写レンズ５０の上端部５３を被写体（肌）に当接又は近接させる。すなわち、接写レンズ５０の上端部５３と被写体との位置関係は、接写レンズ５０のピントに関係する。なお、図２及び４に示されるとおり、上端部５３の内側には、後述する円形のパネル４０を嵌め込むために、パネル４０の外周とほぼ同様の形状及び大きさの凹部が形成される。
【００３１】
レンズ部５４は、被写体を拡大撮影するために凸レンズの形状を有する。レンズ部５４は、対象とする被写体に適するように設計される。例えば、主に手及び顔面の肌を撮影対象とする場合、レンズ部５４は、一例として、拡大撮影の倍率が３０倍程度になるように設計される。また、例えば、主に頭皮を撮影対象とする場合、レンズ部５４は、一例とし
て、拡大撮影の倍率が５０倍から８０倍程度になるように設計される。なお、本実施形態では、図４に示されるとおり、レンズ部５４は、接写レンズ５０の外郭部と一体に形成されている。
【００３２】
ユーザは、このような接写レンズ５０をカメラに装着し、図５に示されるようにして、自身の肌を撮影する。なお、図５において例示される被写体は、手の甲の肌である。ただし、被写体は、特に限定されず、自身の肌以外であってもよい。
【００３３】
なお、接写レンズ５０は、例えば、透光性の部材で作成される。例えば、接写レンズ５０は、透明のプラスチックで作成される。接写レンズ５０は、透光性の部材で作成されることで、上端部５３を被写体に接触させた状態で撮影する場合であっても、照明光として環境光を取り入れることができる。
【００３４】
［パネル］
図２及び４で例示されるように、本実施形態の接写レンズ５０には、パネル４０が装着される。パネル４０には、所定の情報を示す印が、カメラの撮影範囲内に含まれるように、付されている。本実施形態に係る情報処理システムは、このようなパネル４０を装着した接写レンズ５０が用いられて撮影された画像を取得するため、所定の情報を示す印を含む画像を取得することができる。
【００３５】
ただし、情報処理システムが取得する画像に所定の情報を示す印を含める方法は、このような方法に限定される訳ではない。例えば、本発明に係る印は、パネル４０以外の物に付されて、本実施形態のように撮影対象に含まれるように配置されることで、撮影画像に含まれてもよい。また、本発明に係る印は、画像処理によって画像に付加されることで、当該画像に含まれてもよい。
【００３６】
図６Ａは、本実施形態に係るパネル４０の一例を示す。また、図６Ｂ〜６Ｈは、当該パネル４０の変形例を示す。パネル４０は、接写レンズ５０の上端部５３に装着される。そのため、カメラに装着された接写レンズ５０を被写体に当接又は近接して当該被写体を撮影する時には、当該パネル４０は、当該被写体に当接又は近接する位置に存在することになる。これにより、パネル４０に付される印４４も、当該被写体に当接又は近接する位置に存在することになる。
【００３７】
図６Ａに例示されるパネル４０には、カメラの撮影範囲７０に含まれる位置に、２種類の印４４（４４ａ、４４ｂ）が付されている。なお、本実施形態では、同じ種別の印には同じ符号を付し、種別を問わずに印を称する場合、印４４と称する。
【００３８】
ここで、図６Ａ〜６Ｈにおいて示される撮影範囲７０は、接写レンズ５０に各パネルを装着し、かつ、カメラ（後述するユーザ端末２）に接写レンズ５０を装着した状態で撮影を行う際に、当該各パネル上における、当該カメラにより撮影される範囲を示す。本実施形態では、パネル４０に付される印４４が当該撮影範囲７０に含まれる位置に配置されていることで、印４４を含む画像が取得される。
【００３９】
なお、本実施形態に係るパネル４０は、接写レンズ５０の上端部５３に設けられた凹部に嵌め込まれることで、接写レンズ５０に装着される。しかしながら、本実施形態に係るパネル４０の装着方法は、このような方法に限定される訳ではない。例えば、パネル４０は、接写レンズ５０の上端部５３に接着されることで、接写レンズ５０に装着されてもよい。また、例えば、接写レンズ５０の上端部５３が、接写レンズ５０のキャップとしてのパネル４０に嵌合されることで、パネル４０は接写レンズ５０に装着されてもよい。また、例えば、接写レンズ５０とパネル４０とは一体に形成されてもよい。
【００４０】
また、本実施形態に係るパネル４０の形状は円形である。しかしながら、本実施形態に係るパネル４０の形状は円形に限定される訳ではない。例えば、パネル４０の形状は、多角形であってもよい。ただし、本実施形態では、パネル４０は、接写レンズ５０の上端部５３に設けられた凹部に嵌め込まれる。そのため、接写レンズ５０の上端部５３に設けられた凹部は、パネル４０の外周の形状に合わせて成形される。
【００４１】
＜印＞
印４４は、所定の情報を示す。本実施形態では、ユーザは、取得した画像をＳＮＳ上に投稿すると、投稿した当該画像に含まれる印４４により示される所定の情報に対応するサークルに登録される。すなわち、本実施形態では、印４４により示される所定の情報は、ユーザを登録するサークルを特定するための情報として用いられる。
【００４２】
なお、印４４は、例えば、所定の規格に従って情報を表現する記号、マーク等であってもよい。また、印４４は、例えば、配布者、商品製造者、対象商品等の商標であってもよい。印４４の外観は、実施の形態に応じて、適宜、決定される。
【００４３】
また、パネル４０は、複数種類の印４４を備えることで、複数種類の情報を有してもよい。例えば、本実施形態に係るパネル４０は、印４４ａ及び印４４ｂの２種類の印を備える。また、例えば、図６Ｂで示されるパネル４０Ｂは、印４４ａ〜４４ｄの４種類の印を備える。
【００４４】
＜指標部＞
なお、図６Ａに示されるパネル４０には、少なくともその一部がカメラの撮影範囲７０に含まれることで被写体と共に撮影される、カメラにより撮影された画像の解析の指標となる所定の色の付された指標部４１が含まれる。パネル４０には、このような指標部４１が含まれてもよい。当該指標部４１を利用し、取得される画像の解析を行うことで、ユーザが接写レンズを利用して取得した画像に対する、カメラの機能及び性能、照明光、光源等の撮影環境の影響を軽減することが可能となる。
【００４５】
ここで、図６Ａに示される指標部４１の外周及び内周の形状は円形のドーナツ形である。また、図６Ａに示される指標部４１は、開口４３の領域を除き、パネル４０のカメラに対向する面全体に形成される。ただし、指標部４１は、このような形状に限定される訳ではなく、実施の形態に応じて適宜決定される。
【００４６】
また、指標部４１は、図６Ａに例示されるようなカラーパタンを有してよく、そのカラーパタンは、実施の形態に応じて、適宜、決定されてよい。例えば、指標部４１は、白及び黒が交互に配色されたカラーパタン（図６Ａ）を有してもよいし、シアン、マゼンタ、イエロー、黒、及び、白で配色されたカラーパタンを有してもよいし、赤、緑、青、黒、及び、白で配色されたカラーパタンを有してもよいし、単色で形成されてもよい。
【００４７】
指標部４１は、例えば、油性オフセット印刷、シルク印刷等の印刷によって、パネル４０のカメラに対向する面（カメラ側の面）の表面に設けられる。ただし、指標部４１が撮影可能であれば、指標部４１はパネル４０の被写体に対向する面（被写体側の面）の表面に印刷されてもよい。例えば、透明プラスチック等の透光性の部材でパネル４０が作成される場合、パネル４０の被写体側の面に指標部４１が印刷されても、当該指標部４１は撮影可能である。
【００４８】
また、例えば、指標部４１の絵柄の印刷されたシールがパネル４０のカメラ側の表面に貼付されることで、指標部４１は設けられてもよい。ただし、指標部４１が撮影可能であ
れば、当該シールは、上記印刷の場合と同様、パネル４０の被写体側に貼付されてもよい。印４４についても同様である。
【００４９】
なお、カメラからは写すことができないパネル４０の被写体側の表面は、任意に用いられてもよい。
【００５０】
なお、取得された画像上の指標部４１の色と指標部４１の実際の色との差の２次元分布により、画像のカラー補正及び照明むら補正を行う場合に、当該画像のカラー補正及び照明むら補正の精度を上げるためには、指標部４１は、カメラの撮影範囲７０において、被写体の写る領域の周囲全方位に写るように存在する方が好ましい。
【００５１】
＜開口＞
また、パネル４０には、カメラの撮影範囲７０において、被写体の写る領域を確保するため、開口４３が設けられている。開口４３は、例えば、トムソン加工等の加工方法でパネル４０に穴を開けることで、作成される。
【００５２】
ただし、被写体が撮影可能な状態であれば、開口４３は設けられなくてもよい。例えば、透明なプラスチック等の透光性の部材でパネル４０が作成される場合、被写体を写すことが可能であるため、パネル４０に開口４３は設けられなくてもよい。
【００５３】
接写レンズを用いた撮影では、一般的に、当該接写レンズの光軸付近の像ほど鮮明である傾向にある。そのため、被写体をより鮮明に写すためには、開口４３は、光軸を含むように設けられたほうがよい。例えば、開口４３の中心は、カメラ（接写レンズ５０）の光軸近傍に位置するように設けられる。好ましくは、開口４３の中心は、光軸上に位置するように設けられる。
【００５４】
なお、パネル４０は、上下左右にずれて装着される可能性がある。そこで、指標部４１及び印４４は、光軸近傍又は光軸上に中心が位置するように設けられた開口４３の外縁を囲うように設けられてもよい。これにより、パネル４０が上下左右にずれて装着されても、開口４３の周囲には指標部４１及び印４４が存在するため、指標部４１及び印４４をカメラの撮影範囲７０に含めることが可能となる。
【００５５】
また、接写レンズ５０の溝部５２は、レンズ部５４の周囲を囲うように存在する。そのため、接写レンズ５０がカメラに装着されている際に、当該接写レンズ５０は光軸を中心に回転する可能性がある。そこで、開口４３は、円形等の回転対称性を有する形状であってもよい。これにより、パネル４０が光軸を中心に回転しても、その影響を軽減又は無視することが可能になる。
【００５６】
同様の理由から、図６Ａ等に示されるように、指標部４１は、開口４３の回転対称性に対応した所定の規則性に従って配色されたカラーパタンを有してもよい。また、開口４３の回転対称性に対応した所定の規則性に従って、複数の印４４が配列されてもよい。
【００５７】
本実施形態に係る開口４３の形状は、円形である。ただし、開口４３の形状は、円形に限定される訳ではなく、実施の形態に応じて、適宜、決定されてよい。例えば、開口４３の形状の一例として、多角形、楕円形、星形等が挙げられる。
【００５８】
＜パネルのバリエーション＞
図６Ｂ〜６Ｈを用いて、パネル４０のバリエーションを説明する。図６Ｂ〜図６Ｈは、それぞれ、パネル４０のバリエーションを例示する。なお、各バリエーションを問わずパネル及び指標部を称する場合、それぞれ、パネル４０及び指標部４１と称する。
【００５９】
図６Ｂにより示されるパネル４０Ｂは、４種類の印（４４ａ〜４４ｄ）を有する。また、図６Ｂにより示される指標部４１Ｂは、４色の配色がされたカラーパタンを有している。そして、パネル４０Ｂのカメラに対向する面全体には指標部４１Ｂは形成されておらず、当該指標部４１Ｂの外周の形状は正多角形（図では正１２角形）である。
【００６０】
図６Ｃにより示されるパネル４０Ｃは、２種類の印（４４ａ及び４４ｂ）を有する。また、図６Ｃにより示される指標部４１Ｃは、２色の配色がされたカラーパタンを有している。そして、指標部４１Ｃの外周の形状は指標部４１Ｂの形状と同様であるが、指標部４１Ｃは、指標部４１Ｂよりも大きな面積を有している。
【００６１】
図６Ｄにより示されるパネル４０Ｄは、１種類の印（４４ａ）を有する。印４４は、パネル４０Ｄに例示されるように、全てのカラーパタンの領域に存在しなくてもよい。また、パネル４０Ｄのカメラに対向する面全体には指標部４１Ｄは形成されていないが、図６Ｄに示される指標部４１Ｄの外周の形状は、図６Ａにより示される指標部４１の形状と同じである。
【００６２】
図６Ｅにより示されるパネル４０Ｅは、パネル４０Ｄと同様、１種類の印（４４ａ）を有する。また、図６Ｅにより示される指標部４１Ｅは、指標部４１Ｃと同じ大きさ、同じ外周の形状を有している。ただし、指標部４１Ｅは、指標部４１Ｃとは異なり、４色の配色がされたカラーパタンを有している。
【００６３】
図６Ｆにより示されるパネル４０Ｆも、パネル４０Ｄと同様、１種類の印（４４ａ）を有する。しかしながら、パネル４０Ｆは、指標部４１を有していない。
【００６４】
図６Ｇにより示されるパネル４０Ｇは、２種類の印（４４ａ及び４４ｂ）を有する。また、図６Ｇにより示される指標部４１Ｇは、開口４３の中心に向かって突出するような形状を有し、白及び黒の２色の配色がなされている。
【００６５】
なお、被写体を撮影する際、ユーザは、例えば、パネル４０（接写レンズ５０）を被写体に接触させる。この場合、被写体が変形することで、開口４３を通じて、被写体が部分的に接写レンズ５０の内側に入り込む可能性がある。
【００６６】
ここで、本実施形態では、指標部４１及び印４４は、パネル４０のカメラ側の表面に付される。そのため、被写体の変形を考慮しない場合、指標部４１及び印４４は、光軸方向において、パネル４０の厚さの分だけ被写体よりもレンズ側に位置する。
【００６７】
そのため、指標部４１及び印４４は、光軸方向において、被写体と異なる位置に存在する可能性がある。そのため、被写体にピントを合わせた場合、光軸方向の位置の違いによって、指標部４１及び印４４にピントが合わない可能性がある。
【００６８】
そこで、図６Ｈに例示されるように、光軸方向に１又は複数の段差をパネル４０に設け、各段の光軸方向に垂直な面に指標部４１（指標部４１Ｈ）及び印４４を配置してもよい。このような段差を設けることで、光軸方向において、指標部４１及び印４４と被写体との位置のズレを軽減することができる。そのため、被写体にピントを合わせた場合における、指標部４１及び印４４のピントのズレを軽減することができる。
【００６９】
［その他の形態］
なお、パネル４０に代えて、当該パネル４０と同様の機能を発揮する、被写体に貼付するシールが用いられてもよい。当該シールは、図６Ａ等を用いて説明したパネル４０の表
面を実現する絵柄のシールとして説明可能である。ユーザは、例えば、このようなパネル４０の表面を実現する絵柄のシールを被写体に貼付し、そのシールの上から接写レンズ５０を接触させて被写体を撮影する。これにより、撮影される画像は、パネル４０を用いて撮影した場合と同様の効果を得ることができる。
【００７０】
また、このようなシールは、主に被写体に貼り付けて用いられる。そのため、当該シールの中央に存在する開口４３に代えて、例えば、肌の油に反応する透明なシートが設けられてもよい。これにより、ユーザは、接写レンズを用いて肌を撮影する際に、肌の油分を確認することができる。
【００７１】
§２  情報処理システム
本実施形態に係る情報処理システムは、ＳＮＳをユーザに提供する情報処理システムであって、所定の情報を示す印を含む画像をユーザから取得し、取得した画像から印を抽出して、ＳＮＳ内で作成されたグループであって、画像から抽出した印により示される所定の情報に対応するグループ、に当該ユーザを登録する。これにより、本実施形態に係る情報処理システムは、ＳＮＳにおいて、ユーザの積極的な意思に依らず、当該ユーザをグループに加入させることを可能とする。
【００７２】
なお、本実施形態では、情報処理システムは、ＳＮＳの一例として、コスメ商品に関するＳＮＳを提供する。しかしながら、本発明は、提供するＳＮＳの種類によって限定される訳ではない。
【００７３】
また、本実施形態では、情報処理システムは、上述した接写レンズ５０とパネル４０とを用いて撮影された画像が投稿されることで、所定の情報を示す印を含む画像をユーザから取得する。しかしながら、情報処理システムが当該画像を取得する方法は、このような方法に限定される訳ではなく、実施の形態に応じて、適宜、決定されてよい。
【００７４】
［ハードウェア構成］
図７は、本実施形態に係る情報処理システム１のハードウェア構成を例示する。本実施形態に係る情報処理システム１は、ネットワーク５を介して接続されたユーザ端末２のユーザにソーシャルネットワーキングサービスを提供する。なお、情報処理システム１とユーザ端末２との間における情報の伝達は、例えば、３Ｇ（3rd Generation）ネットワーク、インターネット、電話網、及び、専用網等のネットワーク５を介したデータ通信で実現される。ネットワーク５の種類は、各データ通信に応じて、適宜選択される。
【００７５】
情報処理システム１は、ＣＰＵ（Central Processing Unit）、ＲＡＭ（Random Access
Memory）、ＲＯＭ（Read Only Memory）等を含む制御部１１と、制御部１１で実行され
るプログラム等を記憶する補助記憶装置１２と、ネットワーク５を介して通信を行うためのネットワークインタフェース１３と、を備える情報処理装置である。なお、図７では、ネットワークインタフェースは「NW I/F」と記載される。
【００７６】
情報処理システム１の具体的なハードウェア構成に関しては、実施形態に応じて適宜構成要素の省略、置換、及び、追加が行われてよい。例えば、情報処理システム１には、入力装置として更にマウス、キーボード等が接続されてもよい。また、制御部１１は、複数のプロセッサを含んでもよい。また、情報処理システム１は、１又は複数の情報処理装置により実装されてもよい。
【００７７】
ユーザ端末２は、ＣＰＵ、ＲＡＭ、ＲＯＭ等を含む制御部２１と、制御部２１で実行されるプログラム等を記憶する補助記憶装置２２と、ネットワーク５を介して通信を行うためのネットワークインタフェース２３と、カメラモジュール２６を含む入力装置２４と、
ディスプレイ２７、ＬＥＤ、スピーカ等を含む出力装置２５と、を備える情報処理装置である。
【００７８】
ユーザ端末２の具体的なハードウェア構成に関しては、情報処理システム１と同様、実施形態に応じて、適宜、構成要素の省略、置換、及び、追加が行われてよい。また、ユーザ端末２として、例えば、提供されるサービス専用に設計された端末の他、ＰＣ、携帯電話、スマートフォン、タブレット端末、携帯ゲーム機等が用いられてもよい。
【００７９】
ユーザは、接写レンズ５０を装着したカメラモジュール２６を用いて、自身の肌を撮影する。撮影した画像には印４４が写っており、ユーザは、情報処理システム１により提供されるＳＮＳ上に撮影した画像を投稿する。情報処理システム１は、このようなユーザの投稿により、所定の情報を示す印４４を含む画像をユーザから取得する。そして、情報処理システム１は、取得した画像から印を抽出して、抽出した印により示される情報に基づいてサークルを特定し、特定したサークルに当該画像を投稿したユーザを登録する。これにより、情報処理システム１は、ＳＮＳにおいて、ユーザの積極的な意思に依らず、当該ユーザをグループに加入させることを可能とする。
【００８０】
なお、これらの動作のうち、少なくとも、取得した画像から印を抽出する動作、及び、抽出した印により示される情報に基づいてサークルを特定する動作は、ユーザ端末２において実行されてもよい。この場合、情報処理システム１にユーザ端末２が含まれてもよい。図８は、このような場合における情報処理システム１の一例を示す。
【００８１】
図８は、本実施形態に係る情報処理システム１のハードウェア構成のバリエーションを例示する。図８に示される情報処理システム１Ａは、ユーザ端末２とサーバ３とを含む。サーバ３は、ユーザ端末２を利用するユーザにソーシャルネットワーキングサービスを提供する情報処理装置である。
【００８２】
サーバ３は、ＣＰＵ、ＲＡＭ、ＲＯＭ等を含む制御部３１と、制御部３１で実行されるプログラム等を記憶する補助記憶装置３２と、ネットワーク５を介して通信を行うためのネットワークインタフェース３３と、を備える情報処理装置である。サーバ３の具体的なハードウェア構成に関しては、ユーザ端末２と同様、実施形態に応じて適宜構成要素の省略、置換、及び、追加が行われてよい。また、サーバ３は、１又は複数の情報処理装置により実装されてもよい。
【００８３】
［機能構成］
図９は、本実施形態に係る情報処理システム１の機能構成を例示する。本実施形態に係る情報処理システム１は、画像取得部１５、印抽出部１６、ユーザ登録部１７、表示制御部１８、及び、情報保持部１９を備える。画像取得部１５、印抽出部１６、ユーザ登録部１７、表示制御部１８、及び、情報保持部１９は、情報処理システム１のＣＰＵが、ＲＡＭに展開された各種プログラムを解釈及び実行して、各構成要素を制御することで実現される。
【００８４】
なお、本実施形態では、これらの機能がいずれも汎用のＣＰＵによって実現される例について説明している。しかしながら、これらの機能の一部又は全部が、１又は複数の専用のプロセッサにより実現されてもよい。
【００８５】
また、図９により示される機能構成は、本実施形態に係る情報処理システム１の一例である。そのため、情報処理システム１の機能は、実施形態に応じて、適宜、機能の省略、置換、及び、追加が行われてもよい。
【００８６】
画像取得部１５は、所定の情報を示す印を含む画像をユーザから取得する。本実施形態では、画像取得部１５は、接写レンズ５０を装着したカメラモジュール２６により撮影された画像をユーザ端末２から受信することで、印４４を含む画像を取得する。
【００８７】
印抽出部１６は、取得した画像から印を抽出する。本実施形態では、印抽出部１６は、ユーザ端末２から受信した画像から印４４を抽出する。
【００８８】
ユーザ登録部１７は、ＳＮＳ内で作成されたグループであって、画像から抽出した印により示される所定の情報に対応するグループ、にユーザを登録する。本実施形態では、ユーザ登録部１７は、画像から抽出した印４４により示される情報に基づいてサークルを特定し、ユーザ端末２のユーザを特定したサークルに登録する。
【００８９】
なお、本実施形態において、印４４は、接写レンズ５０の上端部５３に装着されるパネル４０に付されている。そのため、印４４は、カメラモジュール２６に装着された接写レンズ５０を被写体に当接又は近接して撮影する時に、当該被写体に当接又は近接する位置に存在する。画像取得部１５は、カメラモジュール２６の撮影範囲７０に印４４が含まれることで、被写体と共に印４４が撮影された画像を取得してもよい。
【００９０】
また、印４４により示される所定の情報は、ＳＮＳ内のサークルを作成する管理者に関する情報であってよい。この場合、ユーザ登録部１７は、画像から抽出した印４４が示す管理者により作成された１又は複数のサークルのうち少なくとも１つのサークルにユーザを登録してもよいし、印４４が示す管理者により作成された１又は複数のサークルのうち被写体に基づいて決定されるグループにユーザを登録してもよい。
【００９１】
また、ユーザ登録部１７は、画像から抽出した印４４に基づいて特定されるサークルからユーザが過去に退会していた場合、当該サークルへのユーザの登録を省略してもよい。
【００９２】
また、ユーザ登録部１７は、画像から抽出した印４４に基づいて特定されるサークルにユーザを強制的に加入させてもよい。
【００９３】
また、ユーザ登録部１７は、画像から抽出した印４４に基づいて特定されるサークルにユーザを登録する際に、サークルに登録するか否かの選択をユーザに行わせてもよい。
【００９４】
表示制御部１８は、ＳＮＳの画面表示を制御する。また、情報保持部１９は、ソーシャルネットワーキングサービスを提供するために利用する情報を保持する。例えば、情報保持部１９は、ユーザの情報を記録するためのユーザ情報、及び、サークルの情報を記録するためのサークル情報を補助記憶装置１２に保持する。
【００９５】
図１０は、本実施形態に係るユーザ情報を例示する。ユーザ情報は、情報処理システム１により提供されるＳＮＳにおけるユーザの属性を示す。例えば、ユーザ情報には、図１０に示されるように、ユーザの名称（ユーザ名）、ユーザを特定するための識別子（ユーザＩＤ）、ＳＮＳにログインするためのログインパスワード、ＳＮＳ内でユーザが利用する画像、及び、サークルの登録状態を管理するためのサークル登録状態情報が含まれる。
【００９６】
図１１は、本実施形態に係るサークル登録状態情報を例示する。図１１では、サークル登録状態情報を表すデータとして、対象のユーザのサークルへの登録状態を管理するためのテーブルが例示されている。１行分のデータが１サークルに対応する。サークル登録状態情報を表すテーブルには、対象のサークルを特定するためのサークルＩＤを格納するフィールドと当該対象のサークルの登録状態を示すフィールドとが含まれる。
【００９７】
例えば、情報処理システム１の制御部１１（ユーザ登録部１７）は、対象のサークルにユーザが初めて登録する際に、対象のユーザのサークル登録状態情報を表すテーブルに、サークルＩＤフィールドに対象のサークルのサークルＩＤを格納し、かつ、状態フィールドに「登録」を格納したデータを追加する。そして、対象のサークルからユーザが退会する際に、情報処理システム１の制御部１１（ユーザ登録部１７）は、対象のサークルに対応するデータの状態フィールドの値を「登録」から「退会」に更新する。また、過去に退会したサークルに再度ユーザが登録する際には、情報処理システム１の制御部１１（ユーザ登録部１７）は、対象のサークルに対応するデータの状態フィールドの値を「退会」から「登録」に更新する。
【００９８】
従って、本実施形態に係るサークル登録状態情報を表すテーブルには、ユーザが一度でも登録したことのあるサークルに対応するデータは存在し、ユーザが登録したことのないサークルに対応するデータは存在しない。よって、本実施形態では、サークル登録状態情報を参照すれば、対象のユーザが過去に登録したことのあるサークルを特定することが可能である。
【００９９】
図１２は、本実施形態に係るサークル情報を例示する。サークル情報は、情報処理システム１により提供されるＳＮＳ内で作成されたサークルの属性を示す。例えば、サークル情報には、図１２に示されるように、サークルの名称（サークル名）、サークルを特定するための識別子（サークルＩＤ）、サークルを作成した管理者（オーナー）に関する情報（オーナー情報）、サークルに登録しているユーザのリスト（登録ユーザリスト）、サークルの検索に用いられるタグ情報、サークル内で用いられる画像、サークル内で設けられたスレッドを管理するためのスレッド情報、及び、サークル内で用いられるキャッチフレーズを管理するためのキャッチフレーズ情報が含まれる。
【０１００】
なお、ユーザ情報及びサークル情報は、ソーシャルネットワーキングサービスを提供するために利用される情報の一例である。情報処理システム１が保持する情報は、このような情報に限定される訳ではなく、実施の形態に応じて、適宜、決定されてよい。また、情報処理システム１が保持する情報の内容は、実施の形態に応じて、適宜、省略、置換、及び、追加が行われてよい。更に、本実施形態では、情報処理システム１が保持する情報のデータ形式は、図１１で例示されるテーブル形式に限定される訳ではなく、実施の形態に応じて、適宜、決定されてよい。
【０１０１】
［動作例］
図１３は、本実施形態に係る情報処理システム１の処理手順を例示する。図１３を用いて、情報処理システム１の動作例を説明する。なお、以下で説明する動作例は、情報処理システム１の情報処理の一例に過ぎない。そのため、各処理の順序は、当該各処理の前に実行された処理の結果を用いなければならない等の理由がない限り、可能な範囲で変更されてもよい。また、実施形態に応じて、適宜、処理の省略、置換、及び、追加が行われてもよい。
【０１０２】
ステップ１００では、画像取得部１５は、所定の情報を示す印４４を含む画像を取得する。本実施形態では、例えば、ユーザは、パネル４０を装着した接写レンズ５０をユーザ端末２のカメラモジュール２６に装着する。そして、ユーザは、図５に例示されるように、接写レンズ５０を自身の肌に当接又は近接させた状態でユーザ端末２を操作して、接写レンズ５０を装着したカメラモジュール２６により自身の肌を撮影する。これにより、ユーザ端末２において、被写体（肌）と共に２種類の印（４４ａ、４４ｂ）を写した画像が取得される。
【０１０３】
ユーザは、例えば、ＳＮＳ内でのコミュニケーションを目的として、ユーザ端末２にお
いて取得した印４４を含む画像を、情報処理システム１により提供されるＳＮＳ上に投稿する。画像取得部１５は、当該投稿により、接写レンズ５０を装着したカメラモジュール２６により撮影された画像をユーザ端末２から受信することで、印４４を含む画像を取得する。
【０１０４】
図１４は、ユーザ端末２のカメラモジュール２６により撮影される画像８０を例示する。領域８１は、パネル４０の開口４３の領域に対応し、被写体（肌）が写る領域である。画像８０には、被写体と共に、印４４及び指標部４１が写っている。画像取得部１５は、例えば、このような画像を取得する。
【０１０５】
なお、所定の情報を示す印は、パネル４０以外の物に付されて、本実施形態のように撮影対象に含まれるように配置されることで、撮影画像に含まれてもよい。また、所定の情報を示す印は、画像処理によって画像に付加されることで、画像に含まれてもよい。
【０１０６】
ステップ１０１では、印抽出部１６は、画像８０から印４４を抽出する。例えば、印抽出部１６は、補助記憶装置１２等に予め記憶された印４４のパタンを用いて、当該印４４のパタンに適合するパタンを画像８０から検出することで、画像８０から印４４を抽出する（パタンマッチング）。図１４に例示される画像８０からは、印４４ａ及び印４４ｂの２種類の印４４が抽出される。
【０１０７】
なお、図６Ｈにより例示したパネル４０Ｈは段差を有し、印４４は、各段の光軸方向に垂直な面に配置されている。このようなパネル４０Ｈを用いて、ピントを被写体（肌）に合わせて撮影した場合、印４４が配置された各段の光軸方向における位置がそれぞれ異なるため、いずれかの段の画像が他方の段の画像よりも鮮明になる。
【０１０８】
そのため、印抽出部１６は、パネル４０Ｈのような段差のあるパネルを利用することで、場面に応じて、より鮮明に印４４が写る領域（段）から印４４を抽出することで、印４４を抽出する精度を高めることができる。
【０１０９】
ステップ１０２では、ユーザ登録部１７は、画像８０から抽出した印４４に基づいてサークルを特定し、ユーザ端末２のユーザを特定したサークルに登録する。ここで、本実施形態では、コスメ商品に関するソーシャルネットワーキングサービスが提供されるため、ＳＮＳ上では、コスメ商品を扱うメーカーに関するサークル、当該メーカーが取り扱う個々のコスメ商品に関するサークルが作成される。そのため、以下では、これらのサークルを例に、ユーザ登録部１７の動作の一例を説明する。ただし、ユーザ登録部１７がユーザを加入させる対象とするサークルは、これらのサークルに限定される訳ではなく、実施の形態に応じて、適宜、決定されてよい。例えば、コスメ商品以外を扱うメーカーに関するサークル、コスメ商品以外の商品に関するサークル、商品及びメーカー以外の話題に関するサークル等が、ユーザを加入させる対象とするサークルとして、ＳＮＳ上に作成されてもよい。
【０１１０】
例えば、印４４により示される所定の情報は、ＳＮＳ内のサークルを作成する管理者に関する情報であってよい。この場合、ユーザ登録部１７は、印４４が示す管理者により作成された１又は複数のサークルから、ユーザを加入させる少なくとも１つのサークルを特定してもよい。また、ユーザ登録部１７は、印４４が示す管理者により作成された１又は複数のサークルから、画像８０に写る被写体に基づいて、ユーザを加入させるサークルを特定してもよい。以下、具体例を挙げて説明する。
【０１１１】
印４４により示される管理者はコスメ商品を扱うメーカーであり、当該メーカーは、自社の話題に関するサークルと自社が取り扱うコスメ商品の話題に関するサークルを作成し
ていたとする。このとき、ユーザ登録部１７は、サークル情報に含まれるオーナー情報を参照することで、同一のメーカー（管理者）が作成したサークルを特定することができる。
【０１１２】
ユーザ登録部１７は、例えば、メーカー（管理者）が作成したサークルからランダムに選択して、ユーザを加入させるサークルを特定してもよい。この場合、ユーザ登録部１７は、ユーザを加入させるサークルの数もランダムに決定してよい。
【０１１３】
また、ユーザ登録部１７は、メーカー（管理者）が作成したサークルから所定の数のサークルを選択して、ユーザを加入させるサークルを特定してもよい。この場合、例えば、ユーザ登録部１７は、登録ユーザの数、管理者によって設定された優先度等を指標として用いて、所定の数のサークルを選択する。
【０１１４】
例えば、ユーザ登録部１７は、サークル情報の登録ユーザリストを参照して、管理者が作成したサークルの登録ユーザの数を特定し、登録ユーザの数が多いサークルから順に対象のユーザを加入させる所定の数のサークルを選択してもよい。また、例えば、ユーザ登録部１７は、登録ユーザの数が少ないサークルから順に対象のユーザを加入させる所定の数のサークルを選択してもよい。
【０１１５】
なお、対象のユーザを加入させる所定の数のサークルを、登録ユーザの数が多いサークルから順に選択するか、登録ユーザの数が少ないサークルから順に選択するかは、メーカー（管理者）の設定によって、決定されてよい。これにより、メーカー（管理者）は、どのサークルにユーザを割り当てるかを決定することが可能になり、ユーザのサークルへの加入を一部コントロールすることが可能になる。
【０１１６】
また、ユーザのサークルへの加入を更にコントロールするため、メーカー（管理者）が作成したサークルには、ユーザ加入の優先度が設定されていてもよい。この場合、ユーザ登録部１７は、当該優先度を参照して、ユーザを加入させる所定の数のサークルを選択してもよい。
【０１１７】
また、ユーザ登録部１７は、印４４が示す管理者により作成された１又は複数のサークルから、画像８０に写る被写体に基づいて、ユーザを加入させるサークルを特定してもよい。
【０１１８】
例えば、情報処理システム１の制御部１１は、画像８０に写る被写体の解析処理を行ってもよい。本実施形態では、被写体の対象は人の肌であるため、制御部１１は、画像８０に写った肌の解析（肌解析）を行ってもよい。例えば、制御部１１は、被写体が写る領域８１の画像を二値化及び細線化する。そして、制御部１１は、周波数解析により規則性を計測する等して、画像中の肌のきめ、毛穴、しみ等を検出してもよい。
【０１１９】
ここで、情報処理システム１の補助記憶装置１２は、対象の管理者（メーカー）が取り扱うコスメ商品について、検出された肌のきめ、毛穴、しみ等の状態に推奨されるコスメ商品の対応表を保持していてもよい。この場合、ユーザ登録部１７は、肌解析の結果と当該対応表に基づいて、ユーザに推奨するコスメ商品を特定してもよい。そして、ユーザ登録部１７は、推奨するコスメ商品に関連するサークルを、ユーザを加入させるサークルと特定してもよい。
【０１２０】
ただし、ユーザを加入させるサークルを被写体に基づいて特定する方法は、このような肌解析に基づく方法に限定される訳ではなく、被写体となる対象、ＳＮＳにおいて提供される話題、ＳＮＳ内で作成されるサークル等を考慮して、実施の形態に応じて、適宜、決
定されてよい。
【０１２１】
また、本実施形態に係るユーザ登録部１７は、印４４が示す管理者により作成された１又は複数のサークルから、画像８０に写る被写体に基づいて、ユーザを加入させるサークルを特定しているが、印４４を用いずに、ユーザを加入させるサークルを特定してもよい。例えば、ユーザ登録部１７は、画像８０に写る被写体から、ユーザを加入させるサークルを特定してもよい。
【０１２２】
本実施形態では、被写体は、ユーザの肌である。そこで、ユーザ登録部１７は、例えば、肌の解析結果とユーザに推奨するコスメ商品、メーカー等との対応関係を示す対応表を利用して、肌（被写体）の解析結果から、ユーザに推奨するコスメ商品、メーカー等を特定してもよい。そして、ユーザ登録部１７は、推奨するコスメ商品、メーカー等に関連するサークルを、ユーザを加入させるサークルと特定してもよい。
【０１２３】
なお、印４４により示される所定の情報は、ＳＮＳ内のサークルに関する情報であってよい。この場合、ユーザ登録部１７は、印４４により示される当該サークルを、ユーザを加入させるサークルと特定してもよい。
【０１２４】
ユーザを加入させるサークルを特定すると、ユーザ登録部１７は、当該特定したサークルにユーザを登録する。例えば、ユーザ登録部１７は、情報保持部１８により保持されるユーザ情報とサークル情報とを更新することで、対象のサークルにユーザを登録する。具体的には、ユーザ登録部１７は、ユーザ情報に含まれるサークル登録状態情報を表すテーブルに特定したサークルに関するデータ（行データ）を追加する。
【０１２５】
なお、ユーザ登録部１７は、ユーザが、印４４に基づいて特定されるサークルから過去に退会しており、現時点において当該サークルに加入していない場合、当該サークルへのユーザの登録を省略してもよい。本実施形態では、サークル登録状態情報を参照することで、対象のユーザが過去に登録したことのあるサークルを特定することが可能である。そこで、ユーザ登録部１７は、対象のユーザのユーザ情報に含まれるサークル登録状態情報を参照することで、印４４に基づいて特定されるサークルが、ユーザが過去に退会し、現時点において加入していないサークルであるか否かを判定してもよい。
【０１２６】
具体的には、ユーザ登録部１７は、サークル登録状態情報を表すテーブルから、印４４に基づいて特定されるサークルのサークルＩＤをサークルＩＤフィールドに格納する行データを抽出する。そして、ユーザ登録部１７は、抽出したデータの状態フィールドに「退会」を示す値が格納されている場合、抽出したデータに対応するサークルを、ユーザが過去に退会し、現時点において加入していないサークルであると判定する。ユーザ登録部１７は、このようなサークルへのユーザの登録を省略することで、ユーザが興味を持っていないと推測されるサークルへの当該ユーザの加入を防止してもよい。他方、ユーザ登録部１７は、抽出したデータの状態フィールドに「登録」を示す値が格納されている場合は、抽出したデータに対応するサークルを、現時点においてユーザが加入しているサークルであると判定し、当該サークルへのユーザの登録を省略の対象としない。
【０１２７】
また、ユーザ登録部１７は、印４４に基づいて特定されるサークルにユーザを登録する際、サークルに登録するか否かの選択をユーザに行わせてもよい。例えば、ユーザ登録部１７は、印４４に基づいて特定されるサークルに登録するか否かの選択を受け付ける画面をユーザ端末２に表示させる。ユーザは、ユーザ端末２の入力装置２４を操作して、当該画面において、対象のサークルに登録するか否かの選択に対する回答を行う。そして、ユーザ登録部１７は、当該ユーザの回答を含む返信をユーザ端末２から受け付けて、ユーザ端末２から受信したユーザの回答に基づいて、印４４に基づいて特定されるサークルにユ
ーザを登録するか否かを判定する。ユーザ登録部１７は、印４４に基づいて特定されるサークルにユーザを登録すると判定した場合に、ユーザ情報とサークル情報とを更新して、印４４に基づいて特定されるサークルにユーザを登録する。これにより、ユーザ登録部１７は、ユーザが興味を持っていないと推測されるサークルへの当該ユーザの加入を防止することができる。
【０１２８】
なお、印４４に基づいて特定されるサークルにユーザを登録しないと判定した場合に、ユーザ登録部１７は、対象のサークルに対応するデータとして状態フィールドに「退会」を格納したデータを、サークル登録状態情報を表すテーブルに追加してもよい。これにより、サークル登録状態情報には、ユーザが加入に拒否したサークルの履歴が記録されることになる。そこで、ユーザ登録部１７は、このような履歴を含むサークル登録状態情報を参照し、ユーザに加入を推奨するサークルからユーザが過去に加入を拒否したサークルを除外してもよい。これにより、ユーザ登録部１７は、過去に加入を拒否したサークルへの加入を繰り返しユーザに推奨することを防止することができる。
【０１２９】
また、ユーザ登録部１７は、サークルに登録するか否かの選択をユーザに行わせず、印４４に基づいて特定されるサークルにユーザを強制的に加入させてもよい。これにより、管理者（本実施形態では、コスメ商品のメーカー）は、サークルへの加入を目的として接写レンズ５０を頒布することで、自身のサークルにユーザを引き込むことが可能になる。
【０１３０】
なお、情報処理システム１は、ユーザを加入させるサークルを特定する以外に印４４を利用してもよい。例えば、情報処理システム１は、パネル４０が装着された接写レンズ５０が正規品であることを判定するために印４４を利用してもよい。
【０１３１】
本実施形態に係る情報処理システム１では、このようにして、ＳＮＳ内で作成されたサークルにユーザは登録される。なお、本実施形態に係る情報処理システム１は、このような方法以外に、ユーザからのリクエストにより、サークルへの入会を受け付けてもよく、また、サークルからの退会を受け付けてもよい。
【０１３２】
［表示例］
情報処理システム１の表示制御部１８は、このようにして更新されるユーザ情報、サークル情報等を用いて、ユーザ端末２におけるＳＮＳの画面表示を制御する。図１５及び１６は、ユーザ端末２に表示される画面を例示する。
【０１３３】
図１５は、サークルのトップ画面を例示する。表示制御部１８は、サークル情報に含まれる画像、キャッチフレーズ情報、及び、スレッド情報から、トップ画面で表示する画像、キャッチフレーズ、及び、スレッド一覧をそれぞれ特定する。ここで、画像は、例えば、コスメ商品の商品画像である。また、キャッチフレーズは、コスメ商品に関するキャッチフレーズである。そのため、例えば、同一コスメ商品に係る画像とキャッチフレーズとは対応付けられていてもよい。この場合、表示制御部１８は、対応付けられた画像とキャッチフレーズとを関連付けてトップ画面で表示してもよい。
【０１３４】
図１６は、サークルのプロフィール画面を例示する。表示制御部１８は、例えば、サークル情報に含まれるサークル名、タグ情報等から、プロフィール画面で表示するサークル内容を特定する。また、表示制御部１８は、サークル情報に含まれるオーナー情報から、プロフィール画面で表示するオーナー情報を特定する。更に、表示制御部１８は、サークル情報に含まれる登録ユーザリストから、プロフィール画面で表示するメンバ一覧を特定する。
【０１３５】
なお、情報処理システム１の制御部１１は、ユーザがサークルに加入した際に、図１５
で示すトップ画面に、当該ユーザが加入したことを示すメッセージを表示させてもよい。
【０１３６】
また、情報処理システム１の制御部１１は、ユーザがサークルに加入した際に、図１５で示すトップ画面に、当該ユーザがサークルに加入する原因となった画像８０を利用したメッセージを表示させてもよい。例えば、画像８０には、当該ユーザの肌が写っている。そして、上述のとおり、情報処理システム１の制御部１１は、画像８０に写る被写体（肌）の解析を行ってもよい。そこで、情報処理システム１の制御部１１は、新しく加入したユーザの名前と被写体（肌）の解析結果とを含むメッセージをトップ画面に表示させてもよい。この場合、例えば、情報処理システム１の制御部１１は、『新しくサークルに加入された○○さんの肌タイプは、××です』というメッセージをトップ画面に表示させてもよい。
【０１３７】
［その他］
＜オーナーへの通知＞
情報処理システム１は、上記動作においてユーザが加入したサークルのオーナーに、当該ユーザが加入したことを通知してもよい。この場合、例えば、情報処理システム１は、オーナー向けのページを用意し、用意したページを利用してユーザが加入したことを通知してもよい。また、例えば、情報処理システム１は、オーナー情報として、オーナーの電子メールアドレスを保持し、当該オーナーの電子メールアドレス宛てに、加入したユーザのリストの含むメッセージを送信してもよい。
【０１３８】
＜指標部の利用＞
なお、情報処理システム１は、画像に含まれる指標部４１を利用して、画像の補正を行ってもよい。例えば、情報処理システム１の制御部１１は、ステップ１００において取得された画像から指標部４１を抽出する。本実施形態では、指標部４１は、例えば、図６Ａ等で例示されるように、予め配置が定められている。そこで、制御部１１は、指標部４１の配置に関する情報を利用することで、取得した画像における指標部４１の領域を推定し、取得した画像から指標部４１を抽出することができる。なお、指標部４１の配置に関する情報は、例えば、補助記憶装置１２に格納されていてもよいし、他の情報処理装置に保持され、ネットワークを介して取得されてもよい。
【０１３９】
そして、制御部１１は、抽出した指標部４１を利用して、取得した画像のピンぼけ補正を行ってもよい。例えば、図６Ａで例示される指標部４１は、白と黒の２色のカラーパタンを有している。制御部１１は、当該白と黒との境（エッジ）を用いて、取得した画像にピンぼけが生じているか否かを判定してもよい。ピントが合っていないほど、エッジにおける画素値（ＲＧＢ値）の変化（傾斜）が緩やかになる。よって、制御部１１は、当該エッジにおける画素値（ＲＧＢ値）の変化に基づいて、ピンぼけが生じているか否かを判定してもよい。そして、制御部１１は、ピンぼけが生じていると判定した領域に鮮鋭化フィルタ等を適用することで、当該ピンぼけが生じている領域の画像を鮮鋭化してもよい。このようにして、制御部１１は、画像のピンぼけ補正を行ってもよい。
【０１４０】
また、制御部１１は、指標部４１を利用して、取得した画像のカラー補正及び照明むらの補正を行ってもよい。例えば、カメラの機能及び性能に影響を受けて、実際の色とは異なった色の画像が得られる場合がある。また、照明光及び光源に影響を受けて、照明むらができ、実際の色とは異なった色の画像が得られる場合がある。制御部１１は、指標部４１を利用して、これらの撮影環境による影響を解析し、当該影響を軽減するように画像を補正してもよい。
【０１４１】
ここで、図６Ａで例示される指標部４１は、白及び黒が交互に配色されたカラーパタンを有する。白のパタンの領域に含まれる画素同士は、同じＲＧＢ値を有するはずであり、
黒のパタンの領域に含まれる画素同士も、同じＲＧＢ値を有するはずである。しかしながら、カメラの機能及び性能、照明光、光源等の撮影環境の影響を受けると、各画素のＲＧＢ値は、当該影響に応じて、実際の色とは異なる値となる。そのため、これらの撮影環境の影響を受けると、同じＲＧＢ値になるはずの領域にＲＧＢ値のばらつきが生じる。制御部１１は、例えば、指標部４１を利用してこのようなＲＧＢ値のばらつきを解析し、ばらつきをなくすようにＲＧＢ値を補正することで、カラー補正及び照明むら補正を行う。
【０１４２】
具体例を挙げて説明すると、制御部１１は、例えば、白のパタンが写っている領域及び黒のパタンが写っている領域それぞれについて、各領域の実際の色を基準（基準色）として、各領域に含まれる画素のＲＧＢ値と基準色のＲＧＢ値との差（ずれ）を求める。これにより、制御部１１は、各画素の色と基準色との差を示す二次元分布を取得することができる。そして、制御部１１は、指標部４１が写ると推測される領域から取得した二次元分布の波形から、被写体が写ると推測される領域８１に含まれる画素の色と基準色との差に係る二次元分布を推測する。これにより、制御部１１は、画像８０全域において、画素の色と基準色との差を示す二次元分布が得られたので、当該二次元分布を用いて、各画素のＲＧＢ値を補正することで、カラー補正及び照明むら補正を実現することができる。
【０１４３】
また、制御部１１は、指標部４１を利用して、画像の歪み補正を行ってもよい。制御部１１は、例えば、指標部４１の有するカラーパタンにおけるエッジを用いて、歪みが生じているか否かを判定する。図６Ａで例示される指標部４１の有するカラーパタンにおけるエッジの形状は直線である。よって、この場合、制御部１１は、例えば、閾値を超えて直線ではなくなっていると判定されるエッジの形状を直線になるように変換することで、歪みが生じていると判定される領域の歪みを補正する。
【０１４４】
制御部１１がこれらの補正を行うことで、画像８０におけるノイズを軽減することができるため、印４４を抽出する精度を高めることが可能になり、投稿する画像に写る被写体を実際の状態に近付けることが可能となる。
【符号の説明】
【０１４５】
１…情報処理システム、２…ユーザ端末、
３…サーバ、５…ネットワーク、
１１…制御部、１２…補助記憶装置、１３…ネットワークインタフェース、
１５…画像取得部、１６…印抽出部、１７…ユーザ登録部、
１８…表示制御部、１９…情報保持部、
２１…制御部、２２…補助記憶装置、
２３…ネットワークインタフェース、２４…入力装置、
２５…出力装置、２６…カメラモジュール、２７…ディスプレイ、
３１…制御部、３２…補助記憶装置、３３…ネットワークインタフェース、
４０…パネル、４１…指標部、４３…開口、４４…印、
５０…接写レンズ、５１…底面部、５２…溝部、
５３…上端部、５４…レンズ部、
７０…撮影範囲、８０…画像
【図１】
2014109838.tif 000003
【図２】
2014109838.tif 000004
【図３】
2014109838.tif 000005
【図４】
2014109838.tif 000006
【図５】
2014109838.tif 000007
【図６Ａ】
2014109838.tif 000008
【図６Ｂ】
2014109838.tif 000009
【図６Ｃ】
2014109838.tif 000010
【図６Ｄ】
2014109838.tif 000011
【図６Ｅ】
2014109838.tif 000012
【図６Ｆ】
2014109838.tif 000013
【図６Ｇ】
2014109838.tif 000014
【図６Ｈ】
2014109838.tif 000015
【図７】
2014109838.tif 000016
【図８】
2014109838.tif 000017
【図９】
2014109838.tif 000018
【図１０】
2014109838.tif 000019
【図１１】
2014109838.tif 000020
【図１２】
2014109838.tif 000021
【図１３】
2014109838.tif 000022
【図１４】
2014109838.tif 000023
【図１５】
2014109838.tif 000024
【図１６】
2014109838.tif 000025